(57)【要約】      （修正有）【課題】ユーザの意図していない操作を防ぎ、かつユーザが使用しない時の消費電力を抑えることができる携帯端末を提供する。【解決手段】タッチスクリーン１２が接触を検知すると、タイマ２４は起動して計時をスタートする。また制御部２２は接触位置座標を取得し、タッチスクリーン１２の照明を点灯させる。主制御部２０は、取得位置座標を中心とした領域を誤検出領域として範囲設定する。制御部２２は、所定周期で接触の有無を監視し、接触がある場合、その都度位置座標を取得する。検知しない場合、または誤検出領域から外れた場合、主制御部２０はタイマ２４を停止し計測時間をリセットする。接触を検知し続け、制御部２２が取得する位置座標が誤検出領域内にあり、タイマ２４が所定時間を超えた場合、タッチスクリーン制御部２２は消灯して、タッチスクリーン１２への入力操作を無効にし、主制御部２０は携帯電話機１の機能をスリープさせる。【選択図】図２
2010238078.tif 000002
【特許請求の範囲】
【請求項１】
画像情報を表示する表示部と、
前記表示部へ接触により入力を行う接触入力部と、
前記接触入力部での入力を検知する接触検知部と、
前記接触検知部で検知した前記表示部の位置座標を定期的に取得する位置座標取得部と、
前記接触検知部で入力を検知している接触時間を計時する計時部と、
前記計時部で計時を開始した際に前記位置座標取得部で取得した前記位置座標より、所定の領域を設定する領域設定部と、
前記計時部で計測された前記接触時間が所定時間を経過しても、前記位置座標取得部で定期的に取得する前記位置座標が連続して前記領域設定部で設定する所定の領域内である場合、前記表示部での画像情報表示を終了し、前記接触入力部での入力を無効にする省電力制御部と、
を具備することを特徴とする携帯端末。
【請求項２】
前記省電力制御部は、前記接触検知部が入力を検知しなくなった場合、前記計時部の計時を停止する
ことを特徴とする請求項１記載の携帯端末。
【請求項３】
前記省電力制御部は、前記位置座標取得部で取得した前記位置座標が、前記領域設定部で設定した所定の領域外である場合、前記計時部の計時を停止する
ことを特徴とする請求項１記載の携帯端末。
【請求項４】
前記接触入力部は複数のエリアに分割され、
前記省電力制御部は、
前記計時部で計時を開始した際に前記位置座標取得部で取得した前記位置座標より、前記エリアを取得し、
前記計時部で計測された前記接触時間が所定時間を経過しても、前記位置座標取得部で定期的に取得する前記位置座標が連続して同一の前記エリア内である場合、前記表示部での画像情報表示を終了し、前記接触入力部での入力を無効にする
ことを特徴とする請求項１記載の携帯端末。
【請求項５】
前記省電力制御部は、
前記表示部に表示される複数の操作ボタンの領域を取得し、
前記計時部で計時を開始した際に前記位置座標取得部で取得した前記位置座標が、任意の前記操作ボタンの領域内であり、前記計時部で計測された前記接触時間が所定時間を経過しても、前記位置座標取得部で定期的に取得する前記位置座標が連続して同一の前記操作ボタンの領域内である場合、前記表示部での画像情報表示を終了し、前記接触入力部での入力を無効にする
ことを特徴とする請求項１記載の携帯端末。
【発明の詳細な説明】
【技術分野】
【０００１】
本発明は、携帯電話等の携帯端末に係り、特にタッチパネルを備えた携帯端末に関する。
【背景技術】
【０００２】
従来、携帯電話やＰＤＡ（Personal Digital Assistant）などの携帯端末において、その表示部にタッチパネルを搭載したものが知られている。このようなタッチパネルは、圧力変化や静電容量変化によって形成されるタッチセンサと表示部とを組み合わせており、例えば操作を要求するメニュー画面においてメニュー項目が表示された画面を直接タッチすることによって、タッチされた位置に該当する項目が選択されるようになっている。また、ユーザがタッチパネル上において指やタッチペンなどの物体を移動させ、物体の移動に合わせてスクロールする方法も知られている。
【０００３】
タッチパネルを有する携帯端末では、ユーザの接触操作等でタッチパネルのタッチセンサが反応している間、タッチパネル自体やタッチパネル表示用のＬＥＤで携帯端末の電力を消費する。一定時間入力を行わないと、自動的にタッチパネル表示用のＬＥＤが消灯してタッチパネルからの入力が無効になり、省電力を図ることのできる携帯端末もあるが、通常、タッチパネルでの入力が続く限り、タッチパネル自体の機能も有効であり、タッチパネル表示用のＬＥＤも点灯しているため、電力が消費されてしまう。ユーザが意図してタッチパネルからの入力操作を行っている場合はやむを得ないが、ユーザの意図しない入力操作によって、無駄な電力を消費してしまう可能性もある。
【０００４】
特許文献１では、タッチパネルへの入力が無い場合に、タッチパネルとタッチパネル制御部のみに電源を供給し、タッチパネルへの入力があった場合にシステム全体に電源を供給して省電力化を図る技術が開示されている。
【先行技術文献】
【特許文献】
【０００５】
【特許文献１】特開平７−０５６６８５号公報
【発明の概要】
【発明が解決しようとする課題】
【０００６】
例えばユーザがタッチパネルを有する携帯端末を操作後、タッチパネルからの入力が無効になる前に携帯端末をポケットやバッグ等に入れてしまい、携帯端末のタッチパネルに物が触れてしまう場合がある。このとき、タッチパネルでの操作をロックしていないために誤ってタッチセンサが反応している場合、ユーザが意図していない操作を引き起こすだけでなく、タッチパネル表示用ＬＥＤも点灯状態のままとなるので、無駄な電力を消費してしまう。
【０００７】
本発明はこのような点に鑑みてなされたもので、ユーザの意図していない操作を防ぎ、かつユーザが使用しない時の消費電力を抑えることができる携帯端末を提供することを目的とする。
【課題を解決するための手段】
【０００８】
本発明に係る携帯端末は、画像情報を表示する表示部と、前記表示部へ接触により入力を行う接触入力部と、前記接触入力部での入力を検知する接触検知部と、前記接触検知部で検知した前記表示部の位置座標を定期的に取得する位置座標取得部と、前記接触検知部で入力を検知している接触時間を計時する計時部と、前記計時部で計時を開始した際に前記位置座標取得部で取得した前記位置座標より、所定の領域を設定する領域設定部と、前記計時部で計測された前記接触時間が所定時間を経過しても、前記位置座標取得部で定期的に取得する前記位置座標が連続して前記領域設定部で設定する所定の領域内である場合、前記表示部での画像情報表示を終了し、前記接触入力部での入力を無効にする省電力制御部とを具備することを特徴とする。
【発明の効果】
【０００９】
本発明に係る携帯端末によれば、ユーザの意図していない操作を防ぎ、かつユーザが使用しない時の消費電力を抑えることができる。
【図面の簡単な説明】
【００１０】
【図１】（Ａ）は本発明の一実施形態に係る携帯電話機の開いた状態の斜視図、（Ｂ）は携帯電話機の閉じた状態の斜視図。
【図２】本発明の一実施形態に係る携帯電話機の概略構成を示すブロック図。
【図３】同上の実施形態における、誤検出領域を設定して誤検出を判別する動作における携帯電話機のタッチスクリーンの概略図。
【図４】同上の実施形態における、誤検出領域を設定して誤検出を判別する動作を示すフローチャート。
【図５】同上の実施形態における、タッチスクリーンの固定エリアで誤検出を判別する動作における携帯電話機のタッチスクリーンの概略図。
【図６】同上の実施形態におけるタッチスクリーンの固定エリアで誤検出を判別する動作を示すフローチャート。
【図７】同上の実施形態における、タッチスクリーンに表示されている操作ボタンの領域を用いて誤検出を判別する動作における携帯電話機のタッチスクリーンの概略図。
【図８】同上の実施形態におけるタッチスクリーンに表示されている操作ボタンの領域を用いて誤検出を判別する動作を示すフローチャート。
【発明を実施するための形態】
【００１１】
以下、本発明の実施形態を添付図面に基づいて説明する。
【００１２】
図１は、本発明の一実施形態に係る携帯端末を適用した携帯電話機１の斜視図であり、（Ａ）は開いた状態を示し、（Ｂ）は閉じた状態を示す。携帯電話機１は、矩形の板状の上筐体１０と、この上筐体１０とほぼ同形状をした下筐体１１とが、閉じた状態で、相互に一面を覆うように積層されることにより形成されている。これらの上筐体１０及び下筐体１１は、所定方向（図１のＸ方向）に相互に所定長さだけスライド可能なように結合されていて、上筐体１０を下筐体１１に対してスライドさせることにより、閉じた状態から開いた状態に、あるいは開いた状態から閉じた状態に変形される。
【００１３】
上筐体１０の外面（下筐体１１に対面しない側の面）には、データを表示するとともに接触によりデータを入力するタッチスクリーン１２（表示部、接触入力部、接触検知部）、音声を出力するためのスピーカ１３、音声を集音するためのマイクロフォン１４が設けられている。これらのタッチスクリーン１２、スピーカ１３、マイクロフォン１４は、携帯電話機１が閉じた状態であっても開いた状態であっても外部に露出されるように設けられている。よって、携帯電話機１が閉じた状態であっても開いた状態であっても、ユーザはタッチスクリーン１２の画面を視認したり、携帯電話機１を用いて通話を行ったりすることができる。
【００１４】
下筐体１１の内面（上筐体１０に対面する側の面）には、ユーザが押下することにより指示を入力するための複数の操作キー１５が設けられている。携帯電話機１が閉じた状態のとき、これらの操作キー１５は、上筐体１０により覆われていて外部に露出されていない。上筐体１０を下筐体１１に対してスライドさせて携帯電話機１を開いた状態に変形させたとき、操作キー１５は外部に露出されるので、ユーザは操作キー１５を介して指示を入力することができる。
【００１５】
タッチスクリーン１２は、データを表示するとともに、接触によってデータが入力される機能を有する。タッチスクリーン１２は、文字や画像等からなる表示データを表示する表示機能、及び、ユーザが指や専用のペンで画面に触れた際にこの接触の位置を検知することにより指示を入力する入力機能の双方の機能を備えたディスプレイである。
【００１６】
タッチスクリーン１２は、例えばディスプレイの上に、表面に接触を検知するための素子が複数配置され、さらにその上に透明なスクリーンが積層されることにより形成されている。タッチスクリーン１２上での接触を感知する方法は、圧力の変化を感知する感圧式であっても、静電気による電気信号を感知する静電式であっても、その他の方法であっても良い。
【００１７】
図２は、携帯電話機１の概略構成を示すブロック図である。携帯電話機１は、主制御部２０（領域設定部、省電力制御部）、電源回路部２１、タッチスクリーン制御部２２（位置座標取得部）、タイマ２４（計時部）、音声制御部２５、通信制御部２６、記憶部２７、情報記憶媒体２８がバスによって相互に通信可能に接続されて構成されている。
【００１８】
電源回路部２１は、電力供給源（バッテリ等）を備え、所定の操作キーを介した入力に基づいて携帯電話機１の電源のＯＮ／ＯＦＦ状態を切り替え、電源がＯＮ状態の場合に電力供給源から各部に対して電力を供給して、携帯電話機１を動作可能にする。
【００１９】
タッチスクリーン制御部２２はタッチスクリーン１２に対する入力インタフェースおよび表示インタフェースを備えている。タッチスクリーン１２が物体の接触を検知すると、タッチスクリーン制御部２２は「Ｐｒｅｓｓイベント」として、タッチスクリーン１２を点灯し、その接触があった位置座標を取得して主制御部２０に伝送する。また、タッチスクリーン１２に接触していた物体が離れると、タッチスクリーン制御部２２は「Ｒｅｌｅａｓｅイベント」して、接触時に取得した位置座標を消去する。また、例えばユーザの指がタッチスクリーン１２に接触したまま任意の方向へなぞると、タッチスクリーン制御部２２は「なぞったイベント」として、なぞった始点と終点の接触位置座標を取得し主制御部２０に伝送する。
【００２０】
またタッチスクリーン制御部２２は、主制御部２０の制御に基づいて、文書データや画像データ等をタッチスクリーン１２に表示する。
【００２１】
タイマ２４は、タッチスクリーン１２への接触を検知すると起動し計時する。
【００２２】
操作キー１５での入力あるいはタッチスクリーン１２での接触入力が行われた時、タッチスクリーン１２にデータを表示する時、または通信が行われる時に、タッチスクリーン制御部２２はタッチスクリーン１２の照明を点灯させる。また、操作キー１５やタッチスクリーン１２からの入力が無く、通信も行われずに、タイマ２４がある所定時間を経過すると、タッチスクリーン制御部２２はタッチスクリーン１２の照明を消灯させ、タッチスクリーン１２からの入力操作を無効にし、次に操作キー１５からの入力があるまで携帯電話機１の機能をスリープさせる。
【００２３】
音声制御部２５は、主制御部２０の制御に基づいて、マイクロフォン１４で集音された音声からアナログ音声信号を生成し、このアナログ音声信号をデジタル音声信号に変換する。また音声制御部２５は、デジタル音声信号を取得すると、主制御部２０の制御に基づいて、このデジタル音声信号をアナログ音声信号に変換し、スピーカ１３から音声として出力する。
【００２４】
通信制御部２６は、主制御部２０の制御に基づいて、基地局からアンテナ２６ａを介して受信した受信信号をスペクトラム逆拡散処理してデータを復元する。このデータは、主制御部２０の指示により、音声制御部２５に伝送されてスピーカ１３から出力されたり、タッチスクリーン制御部２２に伝送されてタッチスクリーン１２に表示されたり、または記憶部２７に記録されたりする。また通信制御部２６は、主制御部２０の制御に基づいて、マイクロフォン１４で集音された音声データや、タッチスクリーン１２を介して入力されたデータや記憶部２７に記憶されたデータを取得すると、これらのデータに対してスペクトラム拡散処理を行い、基地局に対してアンテナ２６ａを介して送信する。
【００２５】
記憶部２７は、主制御部２０や通信制御部２６などのワーク領域となるもので、その機能はＲＡＭ（Ｒａｎｄｏｍ  Ａｃｃｅｓｓ  Ｍｅｍｏｒｙ）などにより実現できる。また、タッチスクリーン１２が接触を検知しタッチスクリーン制御部２２が取得した位置座標のデータを一時的に記憶する。
【００２６】
情報記憶媒体２８（コンピュータにより読み取り可能な媒体）は、プログラムやデータなどを格納するものであり、その機能は、ハードディスク、或いはメモリ（ＲＯＭ：Ｒｅａｄ  Ｏｎｌｙ  Ｍｅｍｏｒｙ）などにより実現できる。情報記憶媒体２８は、本実施形態の各部としてコンピュータを機能させるためのプログラム（各部の処理をコンピュータに実行させるためのプログラム）、複数のアプリケーション等が記憶される。
【００２７】
主制御部２０は、ＣＰＵ（Ｃｅｎｔｒａｌ  Ｐｒｏｃｅｓｓｉｎｇ  Ｕｎｉｔ）を具備し、携帯電話機１の総括的な制御を行うとともに、その他の様々な演算処理や制御処理などを行う。主制御部２０の機能は各種プロセッサ（ＣＰＵ、ＤＳＰ等）、ＡＳＩＣ（ゲートアレイ等）などのハードウェアや、プログラムにより実現できる。主制御部２０は、情報記憶媒体２８に格納されるプログラム（データ）に基づいて本実施形態の種々の処理を行う。
【００２８】
主制御部２０が情報記憶媒体２８に格納されている、任意のアプリケーションを起動した際、主制御部２０は、タッチスクリーン１２への接触によりタッチスクリーン制御部２２から伝送される、上述したイベント（「Ｐｒｅｓｓイベント」、「Ｒｅｌｅａｓｅイベント」、「なぞったイベント」）を、各アプリケーションに対応するよう変換し、所定の処理操作を行うようアプリケーションを動作させる。具体的には、タッチスクリーン１２の所定の位置を押下した際の「Ｐｒｅｓｓイベント」は、押下された位置のボタン表示色を変化させることに対応し、タッチスクリーン１２の押下した位置から離れる「Ｒｅｌｅａｓｅイベント」は、押下していたボタン表示における処理を起動することに対応する、といった例が挙げられる。
【００２９】
＜実施例＞
次に、上記構成の携帯電話機１における、タッチスクリーン１２への接触を検知し、誤検出領域を設定して誤検出を判別する動作について、図３、４を参照して説明する。
【００３０】
図３のタッチスクリーン１２の概略図、図４のフローチャートにおいて、ユーザの指やタッチペン等の物体がタッチスクリーン１２に接触し、タッチスクリーン１２が接触を検知すると（ステップＳ１０１）、タイマ２４は起動して計時をスタートする（ステップＳ１０３）。またタッチスクリーン制御部２２は「Ｐｒｅｓｓイベント」として、接触されている位置座標（xa1,ya1）を取得し（ステップＳ１０４）、タッチスクリーン１２の照明を点灯させる。
【００３１】
次に主制御部２０は、図３の点線枠で示すように、ステップＳ１０４で取得した位置座標（xa1,ya1）を中心とした領域を「誤検出領域」として範囲設定し記憶部２７に格納する（ステップＳ１０５）。この誤検出領域は、例えば画面（タッチスクリーン１２の）サイズの縦横各１０％程度とする（例えば、タッチスクリーン１２のサイズが（縦Ａ画素×横Ｂ画素）である場合には、誤検出領域が（xa1±0.05A,ya1±0.05B）となるように範囲を設定する）。
【００３２】
次にタッチスクリーン制御部２２は、例えば数秒毎といった所定周期でタッチスクリーン１２への接触の有無を監視する（ステップＳ１０７）。タッチスクリーン１２が接触を検知した場合、タッチスクリーン制御部２２はその都度位置座標（xa2,ya2）,（xa3,ya3）・・・を取得する。
【００３３】
ステップＳ１０７で、タッチスクリーン１２が接触を検知しなくなった（接触していた物体がタッチスクリーン１２から離れた）場合（ステップＳ１０９で「Ｙｅｓ」）、主制御部２０は「Ｒｅｌｅａｓｅイベント」として、タイマ２４を停止し計測時間をリセットする（ステップＳ１１３）。
【００３４】
また、ステップＳ１０７でタッチスクリーン１２が接触を検知しているが、タッチスクリーン制御部２２が取得する位置座標がステップＳ１０５で設定した誤検出領域から外れた場合（ステップＳ１１１で「Ｎｏ」、図３での位置座標が（xan,yan））、主制御部２０は「なぞったイベント」として、タイマ２４を停止し計測時間をリセットする（ステップＳ１１３）。
【００３５】
ステップＳ１１３でタイマ２４が停止しリセットした後、タッチスクリーン１２の他の位置座標で接触が検知されると、同時にタイマ２４はステップＳ１０１に戻って新たに計時を開始する。
【００３６】
ステップＳ１０７でタッチスクリーン１２が接触を検知し続け（ステップＳ１０９で「Ｎｏ」）、ステップＳ１０７でタッチスクリーン制御部２２が取得する位置座標がステップＳ１０５で設定した誤検出領域内にあり（ステップＳ１１１で「Ｙｅｓ」、図３での位置座標が（xam,yam））、タイマ２４が所定時間を超えた場合（ステップＳ１１５で「Ｙｅｓ」）、タッチスクリーン１２の誤検出領域を連続して押下され続けているか、極めて短い周期で誤検出領域を断続的に接触されていると考えられ、ユーザの意図した操作ではないと考えられる。この時、タッチスクリーン制御部２２はタッチスクリーン１２を消灯して、タッチスクリーン１２による入力操作を無効にし（ステップＳ１１７）、主制御部２０は携帯電話機１の機能をスリープさせる。
【００３７】
タイマ２４が所定時間を超えていない場合（ステップＳ１１５で「Ｎｏ」）、ステップＳ１０７に戻ってタッチスクリーン制御部２２は引き続きタッチスクリーン１２への接触の有無を監視する。
【００３８】
＜応用例１＞
誤検出を判別する応用例１として、タッチスクリーン１２の固定エリアで誤検出を判別する動作を、図５のタッチスクリーン１２の概略図、図６のフローチャートに示す。図５において、タッチスクリーン１２における接触検出範囲をいくつかのエリアに分割し記憶部２７に格納する（ステップＳ２０１）。図５の例ではＡ〜Ｌの１２エリアに分割している。次に、ユーザの指やタッチペン等の物体がタッチスクリーン１２に接触し、タッチスクリーン１２が接触を検知すると（ステップＳ２０３）、タイマ２４は起動して計時をスタートする（ステップＳ２０５）。またタッチスクリーン制御部２２は「Ｐｒｅｓｓイベント」として、接触されている位置座標（xb1,yb1）とタッチスクリーン１２におけるエリア（図５ではエリア「Ｅ」）を取得し（ステップＳ２０７）、タッチスクリーン制御部２２はタッチスクリーン１２の照明を点灯させる。
【００３９】
次にタッチスクリーン制御部２２は、例えば数秒毎といった所定周期でタッチスクリーン１２への接触の有無を監視する（ステップＳ２０９）。タッチスクリーン１２への接触がある場合、タッチスクリーン制御部２２はその都度位置座標（xb2,yb2）,（xb3,yb3）・・・と、各位置座標におけるタッチスクリーン１２上のエリアを取得し記憶部２７に格納する。
【００４０】
ステップＳ２０９で、タッチスクリーン１２が接触を検知しなくなった（接触していた物体がタッチスクリーン１２から離れた）場合（ステップＳ２１１で「Ｙｅｓ」）、主制御部２０は「Ｒｅｌｅａｓｅイベント」として、タイマ２４を停止し計測時間をリセットする（ステップＳ２１９）。
【００４１】
また、ステップＳ２０９でタッチスクリーン１２が接触を検知しているが、タッチスクリーン制御部２２が取得する位置座標におけるエリアがステップＳ２０７で取得したエリアと異なる場合（ステップＳ２１３で「Ｎｏ」、図５での位置座標が（xbn,ybn）、エリアが「Ｊ」）、主制御部２０は「なぞったイベント」として、タイマ２４を停止し計測時間をリセットする（ステップＳ２１９）。
【００４２】
ステップＳ２１９でタイマ２４が停止しリセットした後、タッチスクリーン１２の他の位置座標で接触が検知されると、同時にタイマ２４はステップＳ２０３に戻って新たに計時を開始する。
【００４３】
ステップＳ２０９でタッチスクリーン１２が接触を検知し続け（ステップＳ２１１で「Ｎｏ」）、ステップＳ２０９でタッチスクリーン制御部２２が取得する位置座標におけるエリアが同一であり（ステップＳ２１３で「Ｙｅｓ」、図５での位置座標が（xbm,ybm）、エリアが「Ｅ」）、タイマ２４が所定時間を超えた場合（ステップＳ２１５で「Ｙｅｓ」）、あらかじめ定めたタッチスクリーン１２上のエリアのうち、特定のエリア内を連続して押下され続けているか、極めて短い周期で特定のエリア内を断続的に接触されていると考えられ、ユーザの意図した操作ではない、誤検出と考えられる。この時、タッチスクリーン制御部２２はタッチスクリーン１２を消灯して、タッチスクリーン１２への入力操作を無効にし（ステップＳ２１７）、主制御部２０は携帯電話機１の機能をスリープさせる。
【００４４】
タイマ２４が所定時間を超えていない場合（ステップＳ２１５で「Ｎｏ」）、ステップＳ２０９に戻ってタッチスクリーン制御部２２は引き続きタッチスクリーン１２の接触の有無を監視する。
【００４５】
＜応用例２＞
誤検出を判別する応用例２として、タッチスクリーン１２に表示されている操作ボタンの領域を用いて誤検出を判別する動作を、図７のタッチスクリーン１２の概略図、図８のフローチャートに示す。
【００４６】
主制御部２０は、情報処理媒体２８に対し、起動しているアプリケーションの、現在タッチスクリーン１２上に表示されている操作ボタン等の領域や位置情報、図７の例では「メール」、「メニュー」、「ＷＥＢ」の各ボタンの領域、位置情報を要求し取得する（ステップＳ３０１）。
【００４７】
次に、ユーザの指やタッチペン等の物体がタッチスクリーン１２に接触し、タッチスクリーン１２が接触を検知すると（ステップＳ３０３）、タイマ２４は起動して計時をスタートする（ステップＳ３０５）。またタッチスクリーン制御部２２は「Ｐｒｅｓｓイベント」として、接触されている位置座標（xc1,yc1）を取得し（ステップＳ３０７）、タッチスクリーン１２の照明を点灯させる。
【００４８】
次に主制御部２０は、ステップＳ３０７で取得した位置座標（xc1,yc1）が、ステップＳ３０１で取得した、現在表示されている「メール」、「メニュー」、「ＷＥＢ」の各操作ボタンのうちいずれか１つの領域内か否かを判断する（ステップＳ３０９）。位置座標（xc1,yc1）が例えば「メール」操作ボタンの領域内に存在する場合（ステップＳ３０９で「Ｙｅｓ」）、主制御部２０は、「メール」操作ボタンの領域を「誤検出領域」として範囲設定し記憶部２７に格納する（ステップＳ３１１）。位置座標（xc1,yc1）が、現在表示されている「メール」、「メニュー」、「ＷＥＢ」のどの操作ボタンの領域内に存在しなかった場合（ステップＳ３０９で「Ｎｏ」）、ステップＳ３０３に戻る。
【００４９】
次にタッチスクリーン制御部２２は、例えば数秒毎といった所定周期でタッチスクリーン１２への接触の有無を監視する（ステップＳ３１３）。タッチスクリーン１２への接触がある場合、タッチスクリーン制御部２２はその都度位置座標（xc2,yc2）,（xc3,yc3）・・・を取得する。
【００５０】
ステップＳ３１３で、タッチスクリーン１２が接触を検知しなくなった（接触していた物体がタッチスクリーン１２から離れた）場合（ステップＳ３１５で「Ｙｅｓ」）、主制御部２０は「Ｒｅｌｅａｓｅイベント」として、タイマ２４を停止し計測時間をリセットする（ステップＳ３１９）。
【００５１】
また、ステップＳ３１３でタッチスクリーン１２が接触を検知しているが、タッチスクリーン制御部２２が取得する位置座標がステップＳ３１１で設定した誤検出領域から外れた場合（ステップＳ３１７で「Ｎｏ」、図７での位置座標が（xcn,ycn））、主制御部２０は「なぞったイベント」として、タイマ２４を停止し計測時間をリセットする（ステップＳ３１９）。
【００５２】
ステップＳ３１９でタイマ２４が停止しリセットした後、タッチスクリーン１２の他の位置座標で接触が検知されると、同時にタイマ２４はステップＳ３０１に戻って新たに計時を開始する。
【００５３】
ステップＳ３１３でタッチスクリーン１２が接触を検知し続け（ステップＳ３１５で「Ｎｏ」）、ステップＳ３１３でタッチスクリーン制御部２２が取得する位置座標がステップＳ３１１で設定した誤検出領域内にあり（ステップＳ３１７で「Ｙｅｓ」、図７での位置座標が（xcm,ycm））、タイマ２４が所定時間を超えた場合（ステップＳ３２１で「Ｙｅｓ」）、タッチスクリーン１２の誤検出領域を連続して押下され続けているか、極めて短い周期で誤検出領域を断続的に接触されていると考えられ、ユーザの意図した操作ではないと考えられる。この時、タッチスクリーン制御部２２はタッチスクリーン１２を消灯して、タッチスクリーン１２への入力操作を無効にし（ステップＳ３２３）、主制御部２０は携帯電話機１の機能をスリープさせる。
【００５４】
タイマ２４が所定時間を超えていない場合（ステップＳ３２１で「Ｎｏ」）、ステップＳ３１３に戻ってタッチスクリーン制御部２２は引き続きタッチスクリーン１２の接触の有無を監視する。
【００５５】
以上により、タッチスクリーン１２が、あらかじめ定められたタッチスクリーン１２上の誤検出領域や特定のエリア内で、一定時間に連続して接触を感知すると、例えば携帯電話機１がバッグの中にあり、タッチスクリーン１２が他の物体に接触しているため、ユーザの意図した操作ではない、誤検出と考えられる。よって、タッチスクリーン制御部２２はタッチスクリーン１２を消灯し、主制御部２０は携帯電話機１の機能をスリープさせることで、無駄な電力消費をなくすことができる。
【００５６】
以上、本発明の実施形態について図面を参照して詳述してきたが、具体的な構成はこの実施形態に限られるものではなく、本発明の要旨を逸脱しない範囲の設計変更等も含まれる。
【００５７】
例えば、上記実施形態では、誤検出領域を矩形状としたが、本発明はこれに限定されるものではなく、誤検出領域を円状としてもよい。また、誤検出領域を設定せず、所定時間内に「Ｒｅｌｅａｓｅイベント」がない場合にタッチスクリーン１２の入力操作を無効し、携帯電話機１の機能をスリープさせる仕様にしてもよい。
【００５８】
また、本発明の説明として、携帯電話機１について説明したが、これに限らず、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔｓ）、携帯音楽プレイヤー、携帯ビデオカメラ、携帯ゲーム機等、ＬＥＤなどの情報通知手段を備えている携帯端末であれば、任意の携帯端末であっても良い。
【符号の説明】
【００５９】
１…携帯電話機、１２…タッチスクリーン、１３…スピーカ、１４…マイクロフォン、１５…操作キー、２０…主制御部、２１…電源回路部、２２…タッチスクリーン制御部、２４…タイマ、２５…音声制御部、２６…通信制御部、２６ａ…アンテナ、２７…記憶部、２８…情報記憶媒体。
【図１】
2010238078.tif 000003
【図２】
2010238078.tif 000004
【図３】
2010238078.tif 000005
【図４】
2010238078.tif 000006
【図５】
2010238078.tif 000007
【図６】
2010238078.tif 000008
【図７】
2010238078.tif 000009
【図８】
2010238078.tif 000010